(57)【要約】 【構成】  ハンガー２にポケット１２を設けて、セータ４に紐２２と安全ピン２４とで取り付けたＲＦＩＤラベル２０を収納する。ＩＤラベル２０はハンガー２に対して所定の位置に有り、ＲＦＩＤリーダでＩＤを読み取る。【効果】  ハンガー２からセータ４を取り外しても、ＲＦＩＤ２６とセータとの対応関係を保つことができ、しかもハンガー２にセータ４を吊すと、ＲＦＩＤ２６の位置が決まって容易にＩＤを読み取ることができる。【選択図】     図１
2007128463.tif 000002
【特許請求の範囲】
【請求項１】
ＲＦＩＤで管理された衣類を吊すためのハンガーであって、衣類に紐で取り付けられたＲＦＩＤを、ハンガーの一定の位置に着脱自在に仮に保持するための手段を設けたことを特徴とするハンガー。
【請求項２】
前記仮に保持するための手段として、ＲＦＩＤを収納するためのポケットを設けたことを特徴とする、請求項１のハンガー。
【請求項３】
衣類に取り付けられた前記のＲＦＩＤとは別に、ハンガー自体のＲＦＩＤを取り付けたことを特徴とする、請求項１または２のハンガー。
【請求項４】
衣類に紐で取り付けられたＲＦＩＤを、ハンガーの一定の位置に着脱自在に仮に保持するための手段を設けたハンガーと、
前記ハンガーを複数個係止するためのラックと、
ハンガーに保持された衣類のＲＦＩＤを読み取るためのＲＦＩＤリーダと、
所望の衣類のＩＤを入力するための手段と、
前記ＲＦＩＤリーダの読み出しデータに従って、入力されたＩＤを備えた衣類を前記ラックから取り出し自在な位置へ移動、もしくはラックでの該衣類の位置を表示するための手段とを備えた、ハンガーシステム。
【請求項５】
前記ラックが係止したハンガーを移動させるムービングラックで、
前記ＲＦＩＤリーダの読み出しデータに従ってムービングラックを移動させて、入力されたＩＤを備えた衣類を前記ラックから取り出し自在な位置へ移動させるようにしたことを特徴とする、請求項４のハンガーシステム。
【請求項６】
ＲＦＩＤを紐で取り付けた衣類と、一定の位置に衣類のＲＦＩＤを着脱自在に仮に保持するための手段を設けたハンガーとから成る、ハンガー付きの衣類。
【発明の詳細な説明】
【技術分野】
【０００１】
この発明は、ＲＦＩＤを取り付けた衣類に適したハンガーとそのシステム、及びハンガーと衣類との組み合わせに関する。
【背景技術】
【０００２】
ＲＦＩＤのタグやラベルを固着したハンガーが知られている（特許文献１，２）。このようなハンガーではＲＦＩＤの位置が決まっているので、ＩＤの読み取りが容易である。このため衣類に直接ＲＦＩＤを取り付ける場合のように、ＩＤの位置が一定せず読み取りが難しくなることがない。
【０００３】
しかしながらハンガーにＲＦＩＤを固定すると、例えば試着などで複数枚の衣類をハンガーから取り外し試着後にハンガーに戻すと、元とは別のハンガーに衣類が吊されていることがある。するとハンガーのＲＦＩＤのデータは意味を成さない。試着に限らずハンガーから衣類を取り外すと、元の同じハンガーに衣類を吊るし直すまでは、ハンガーのＲＦＩＤのデータは衣類の実際の所在を示していない。従って特許文献１，２のハンガーは、衣類の試着が有り得る状況で用いるのには適していない。
【特許文献１】特開２００２−１４０６６９
【特許文献２】特開２００３−３０８４２９
【発明の開示】
【発明が解決しようとする課題】
【０００４】
この発明の課題は、衣類をハンガーから外してもＲＦＩＤと衣類との対応関係を保つことができ、しかも衣類をハンガーに吊すとＲＦＩＤを容易に読み取れるようにすることにある。
この発明での副次的な課題は、ＲＦＩＤが正しくセットされていないハンガーを容易に検出できるようにすることにある。
この発明のハンガーシステムでの追加の課題は、所望の衣類をハンガーシステムから容易に取り出してプレゼンテーションできるようにすることにある。
【課題を解決するための手段】
【０００５】
この発明のハンガーは、ＲＦＩＤで管理された衣類を吊すためのハンガーであって、衣類に紐で取り付けられたＲＦＩＤを、ハンガーの一定の位置に着脱自在に仮に保持するための手段を設けたことを特徴とする。なおこの明細書で、ＲＦＩＤはＲＦＩＤのチップを取り付けたタグやラベルなどの物理的な存在を、ＩＤはＲＦＩＤ中のＩＤデータを意味する。
【０００６】
好ましくは、前記仮に保持するための手段として、ＲＦＩＤを収納するためのポケットを設ける。
また好ましくは、衣類に取り付けられた前記のＲＦＩＤとは別に、ハンガー自体のＲＦＩＤを取り付ける。
【０００７】
この発明のハンガーシステムは、衣類に紐で取り付けられたＲＦＩＤを、ハンガーの一定の位置に着脱自在に仮に保持するための手段を設けたハンガーと、前記ハンガーを複数個係止するためのラックと、ハンガーに保持された衣類のＲＦＩＤを読み取るためのＲＦＩＤリーダと、所望の衣類のＩＤを入力するための手段と、前記ＲＦＩＤリーダの読み出しデータに従って、入力されたＩＤを備えた衣類を前記ラックから取り出し自在な位置へ移動、もしくはラックでの該衣類の位置を表示するための手段とを備える。
【０００８】
好ましくは、前記ラックが係止したハンガーを移動させるムービングラックで、前記ＲＦＩＤリーダの読み出しデータに従ってムービングラックを移動させて、入力されたＩＤを備えた衣類を前記ラックから取り出し自在な位置へ移動させる。
【０００９】
この発明のハンガー付きの衣類は、ＲＦＩＤを紐で取り付けた衣類と、一定の位置に衣類のＲＦＩＤを着脱自在に仮に保持するための手段を設けたハンガーとから成る。
【発明の効果】
【００１０】
この発明では、衣類に取り付けられたＲＦＩＤは着脱自在にハンガーに仮に保持され、かつハンガーの一定の位置に保持されるのでＩＤの読み出しが容易になる。次にＲＦＩＤは紐で衣類に取り付けられているので、衣類に直に取り付ける場合などと異なり、ハンガーへの取り付けや取り外しが容易になる。さらにＲＦＩＤはハンガーではなく衣類に取り付けられているので、衣類をハンガーから取り外しても、衣類とＲＦＩＤとの対応関係が失われない。このため例えば、衣類をハンガーから取り外して試着し、別のハンガーに吊し直したとしても、新しいハンガー上のＲＦＩＤを読み取ればよい。これらのため、ＩＤの読み取りが容易で、かつハンガーへのＲＦＩＤの着脱も容易で、さらに衣類をハンガーから取り外しても、ＩＤと衣類との対応関係が失われない。
【００１１】
ＲＦＩＤをハンガーに仮にセットするための手段としては、ハンガーに例えばポケットを設けてＲＦＩＤのタグやラベルなどを収納自在にし、あるいはクリップを設けてＲＦＩＤのタグやラベルを挟み込み、もしくはＲＦＩＤのタグやラベルとハンガーとにマジックテープ（登録商標）を設けるとよい。この中でポケットを用いると、ＲＦＩＤの収納や取り外しが容易で、しかも一旦収納すると不用意に外れることが無く、低コストで、邪魔にならない。
【００１２】
衣類をハンガーに取り付けたもののＲＦＩＤをポケットなどに保持させていないことや、ハンガーから取り外した衣類をそのまま放置し空のハンガーを棚に戻すことがある。このような場合に備えて、ハンガー自体のＲＦＩＤを設けると、ＲＦＩＤリーダでハンガーのＩＤを読み取ったものの、衣類のＩＤを読み取らない場合、異常であることを検出できる。そこで衣類のＲＦＩＤがハンガーの所定の位置にセットされていないことや、ハンガーから衣類が外されたまま放置されていることなどをチェックできる。
【００１３】
この発明のハンガーシステムでは、ハンガーを複数個ラックに係止して保管し、ＲＦＩＤリーダでハンガーのＲＦＩＤを読み取る。そしてハンガーシステムから取り出したい衣類のＩＤを入力すると、ＲＦＩＤリーダでのＩＤの読み出しデータに従って、ラック内のハンガーを移動させて、ＩＤが入力された衣類を取り出し自在な位置へと移動させ、あるいはハンガーを移動させる代わりに、ラックでのＩＤが入力された衣類の位置を表示する。このためラック内の衣類を１つずつチェックしないでも、所望の衣類を簡単にラックから取り出すことができる。そして取り出した衣類が別のハンガーに吊されてラックに戻されても、トラブルが生じない。
【００１４】
ここでラックをムービングラックとしてラック内のハンガーを移動させ、入力されたＩＤの衣類を吊したハンガーがラックから取り出し自在な位置に来るように、ムービングラックを制御すると、ラックの前で待っているだけで所望の衣類を取り出せる。
【００１５】
またこの発明のハンガー付きの衣類では、紐で衣類に取り付けられたＲＦＩＤをハンガーの一定の位置に仮に保持させることができ、ＲＦＩＤの読み取りが容易である。さらに衣類をハンガーから取り外しても、衣類とＲＦＩＤとの対応関係が失われない。
【発明を実施するための最良の形態】
【００１６】
以下に本発明を実施するための最適実施例を示す。
【実施例】
【００１７】
図１〜図５に、実施例とその変形とを示す。なお図１〜図４で実線はハンガーを示し、鎖線はセータを示す。図において、２はハンガーで、例えば前後非対称の形をし、４はセータで、ワンピースや背広その他の衣類でも良い。６はフックで、８はハンガー本体であり、１０はフック取付部である、そしてハンガー本体８の前部中央の例えばセータ４のネックホールに対応する位置にＩＤポケット１２を設ける。このポケットは例えば上側が開いたプラスチックの透明の袋から成り、図１での背面側をハンガー本体８に固着してある。１４はＲＦＩＤで、例えばＩＤポケット１２に取り付けられ、ハンガー２自体のＩＤで、ＲＦＩＤリーダによりハンガー２が存在することを検出するためのものである。従ってＲＦＩＤ１４にはハンガー２のＩＤが記入されていなくても良い。
【００１８】
セータ４の側にはＲＦＩＤラベル２０を設け、ゴム糸や通常の糸などの紐２２で、例えば安全ピン２４によりセータ４に取り付ける。なお紐２２をセータ４に取り付ける手段自体は任意である。ＲＦＩＤラベル２０は例えば厚紙のラベルから成り、セータ４のブランド名や素材、洗濯方法、製造者などを記載した通常のラベルでも良く、あるいはこれらの記載のない無地のラベルでも良い。ラベル２０にＲＦＩＤ２６を取り付け、ラベル２０を紐２２でセータ４から伸ばしてポケット１２に出し入れする。なお２７はセータ４のネックホールで、この部分にＩＤポケット１２が表れる。ＲＦＩＤ２６にはセータ４のＩＤを記憶し、これ以外にセータ４に関する種々のデータを記憶しても良い。
【００１９】
図２，図３に、ＲＦＩＤラベル２０の取り付けの変形例を示す。図２のハンガー２８ではマジックテープ２９を設け、その一面をハンガー２８の前面中央部に固定し、他面をラベル２０の裏面に固定して、マジックテープ２９によりＲＦＩＤラベル２０を着脱自在にする。この場合ポケット１２がないので、ＲＦＩＤ１４はハンガー２８の適宜の位置に固定する。
図３のハンガー３０では、フック取付部１０などにクリップ３２を設け、ＲＦＩＤラベル２０を着脱自在に挟み込む。これ以外の点では、図２，図３のハンガー２８，３０は、図１のハンガー２と同様である。
【００２０】
図４，図５に、ムービングラック５０を用いたハンガーシステムの実施例を示す。４０は循環部で、複数の支持バー４２を備えてハンガー２を複数列状に係止できる。循環部４０はここでは周回運動をするが、それ以外の運動形態でも良く、ハンガー２を係止するための部材は支持バー４２には限らず、例えば適宜のレールやリングを循環部４０に沿って取り付けても良い。循環部４０に沿った所定の位置に、ＲＦＩＤリーダ４４を設けて、ＲＦＩＤ１４，２６を読み取る。そしてハンガー２のＲＦＩＤ１４を読み取ったのにセータ４のＲＦＩＤ２６を読み取れない場合、異常であることを出力する。なおＲＦＩＤ１４を設ける代わりに、ハンガーセンサ４６をＲＦＩＤリーダ４４の付近などに設け、フック取付部１０やハンガー本体８から、ハンガー２の有無を検出しても良い。ハンガーセンサ４６には超音波センサや光電センサなどを用い、ハンガー２による反射波などを検出する。
【００２１】
図５に示すように、ムービングラック５０は駆動部５２により駆動され、５４はムービングラック５０のコントローラで、例えば在庫リスト５５を備えて、支持バー４２の番号とＲＦＩＤ２６中のＩＤとを対応付けて記憶している。そしてＲＦＩＤ２６を検出できないハンガーを発見すると、ハンガー付け忘れアラームを出力する。５６はモニタで、５７は電子カタログであり、セータ４などの衣類の画像や関連データをモニタ５６に表示可能に記憶し、かつセータ４などのＩＤを記憶している。５８はＰＯＳ端末で、５９はＲＦＩＤタグリーダであり、セータ４などを販売した際に、そのＲＦＩＤ２６のＩＤを読み取って販売記録を作成し、好ましくはこの時点で、ＲＦＩＤラベル２０を安全ピン２４によりセータ４から取り外す。６０はセータなどの試着室である。
【００２２】
例えば顧客はモニタ５６で電子カタログ５７からセータのデザインを検索し、ムービングラック５０から取り出したいものがあると、モニタ５６上でＧＵＩによりそのセータを指定する。電子カタログ５７で指定されたセータのＩＤをコントローラ５４へ入力する。ムービングラック５０は例えば常時は停止しており、間欠的にラック５０を１／２周回転させる。ムービングラック５０には例えば平面視で対角線上の２箇所にＲＦＩＤリーダ４４があり、ハンガー２自体のＩＤ１４とセータ４などの衣類のＲＦＩＤ２６とを読み取って、在庫リスト５５に記憶させる。そしてムービングラック５０の現在の回転角、即ちどの支持バーがムービングラック５０の正面の取り出し口に面した位置にあるかは既知である。そこで電子カタログ５７側からコントローラ５４へ、取り出したいセータのＩＤが入力されると、在庫リスト５５からそのセータを吊している支持バー４２の位置を求めて必要な回転角を算出し、駆動部５２によりムービングラック５０を駆動する。これによって所望のセータがムービングラック５０の正面の取り出しに適した位置へと移動して停止する。
【００２３】
衣類とハンガーとを支持バー４２から取り出し、試着室６０で試着する。この場合複数のセータを取り出し、試着前と試着後とでセータとハンガーとの組合せが変化しても、同じセータ４には同じＲＦＩＤ２６が対応する。また試着後のハンガーをムービングラック５０に戻す際に、セータのＲＦＩＤをＩＤポケット１２に収納し忘れた場合、ＲＦＩＤリーダ４４で、セータのＲＦＩＤの無いハンガーを検出し、ハンガー付け忘れアラームを出力する。同様にセータを試着室に残したままで、ハンガーのみをムービングラック５０に戻してもアラームする。この場合アラームの生じたハンガーをムービングラック５０の正面へと移動させてハンガーを点検し、ＲＦＩＤラベル２０の差し込み忘れであれば、これをポケット１２に差し込む。ハンガーに衣類が吊されていない場合、試着室６０などで置き忘れられた衣類を探す。
【００２４】
実施例のハンガー２はムービングラック５０に限らず任意の棚にハンガーを収納する際に使用でき、ムービングラックの場合でも、ハンガーを周回させる代わりに往復させても良い。例えばムービングラック５０に代えて固定のラックを用い、ラックの支持バーなどにＬＥＤなどの表示部を設けて、ＩＤが入力された衣類のある支持バーの表示部を点灯させても良い。この場合、ＲＦＩＤリーダは例えば手動でラックに沿って移動させて、ＩＤを読み取る。また衣類を流通させる場合、ハンガーのポケットにＲＦＩＤラベル２０を差し込んだままで流通させると、受け入れ側で棚にセットした際に速やかに受け入れ検査ができる
【００２５】
実施例では以下の効果が得られる。
(1)  ハンガー２から衣類を取り外しても、衣類とＲＦＩＤ２６との対応関係が失われない。
(2)  ＲＦＩＤ２６はハンガー２の所定の位置に収納されるので、ＲＦＩＤリーダ４４により読み取りが容易である。さらにＲＦＩＤラベル２０は紐でセータ４に取り付けられているので、ポケット１２などへの着脱が容易である。
(3)  ハンガー２自体をＲＦＩＤ２６とは別に検出するようにすると、ラベル２０がハンガー２のポケット１２にセットされていないことや、試着などで衣類を取り外した後、衣類が放置されていることを検出できる。
【図面の簡単な説明】
【００２６】
【図１】実施例でのハンガー（実線）とセータ（鎖線）とを示す正面図
【図２】変形例のハンガーとセータとの要部側面図
【図３】第２の変形例でのハンガーとセータの要部側面図
【図４】図１のハンガーをムービングラックの支持バーに吊した姿を示す図
【図５】実施例のハンガーシステムのブロック図
【符号の説明】
【００２７】
２          ハンガー
４          セータ
６          フック
８          ハンガー本体
１０        フック取付部
１２        ＩＤポケット
１４        ＲＦＩＤ
２０        ＲＦＩＤラベル
２２        紐
２４        安全ピン
２６        ＲＦＩＤ
２７        ネックホール
２８，３０  ハンガー
２９        マジックテープ
３２        クリップ
４０        循環部
４２        支持バー
４４        ＲＦＩＤリーダ
４６        ハンガーセンサ
５０        ムービングラック
５２        駆動部
５４        コントローラ
５５        在庫リスト
５６        モニタ
５７        電子カタログ
５８        ＰＯＳ端末
５９        ＲＦＩＤタグリーダ
６０        試着室
【図１】
2007128463.tif 000003
【図２】
2007128463.tif 000004
【図３】
2007128463.tif 000005
【図４】
2007128463.tif 000006
【図５】
2007128463.tif 000007